(57)【要約】【課題】電力レベルが大きく変化する信号のパワースペクトルを精度よく計測することができるようにする。【解決手段】部分区間Ｓ１の信号として抽出される入力信号に対しては、部分区間Ｓ１の信号の平均電力と目標電力との比として表される入力ゲイン制御量Ｃ１により補正されたゲインを用いて電力が調整される。他の部分区間についても同様に、その部分区間の信号の平均電力と目標電力との比として表される入力ゲイン制御量により補正されたゲインを用いて電力が調整される。電力が調整されることにより、各部分区間信号の電力はスペクトル計測部のダイナミックレンジに収まるものとなる。電力調整後の各部分区間信号を対象として、パワースペクトルの計測がスペクトル計測部により行われる。本発明は、テレビジョン受像機などの受信装置に適用することができる。【選択図】図４
2010278911.tif 000002
【特許請求の範囲】
【請求項１】
パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、
前記調整手段による電力調整後のそれぞれの前記部分区間信号のパワースペクトルに対して、前記調整手段による電力の調整に用いられたゲインの逆数をかけて電力を補正する補正手段と
を備える信号処理装置。
【請求項２】
前記調整手段による電力調整後のそれぞれの前記部分区間信号のパワースペクトルを計測する計測手段をさらに備える
請求項１に記載の信号処理装置。
【請求項３】
目標電力を、前記部分区間信号の平均電力で除算して得られた値を前記ゲインとして前記調整手段に設定する設定手段をさらに備える
請求項２に記載の信号処理装置。
【請求項４】
前記目標電力は、前記計測手段がパワースペクトルとして計測可能な電力の上限の電力と下限の電力との平均の電力である
請求項３に記載の信号処理装置。
【請求項５】
パワースペクトルを計測する周波数帯域を複数の区間に分割した各区間の周波数成分を有する入力信号である部分区間信号毎に、前記部分区間信号を所定の電力レベルにするゲインをかけて電力を調整し、
電力調整後のそれぞれの前記部分区間信号のパワースペクトルに対して、電力の調整に用いられたゲインの逆数をかけて電力を補正する
ステップを含む信号処理方法。
【請求項６】
伝送路を介して送信されてきた信号を取得する取得手段と、
前記取得手段により取得された信号に対してパワースペクトルの計測処理を含む処理を行う伝送路復号処理手段と
を備え、
前記伝送路復号処理手段は、
パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、
前記調整手段による電力調整後のそれぞれの前記部分区間信号のパワースペクトルに対して、前記調整手段による電力の調整に用いられたゲインの逆数をかけて電力を補正する補正手段と
を備える受信システム。
【請求項７】
伝送路を介して取得した信号に対してパワースペクトルの計測処理を含む処理を行う伝送路復号処理手段と、
前記伝送路復号処理手段による処理後の信号に対して、送信対象のデータを復号する処理を施す情報源復号処理手段と
を備え、
前記伝送路復号処理手段は、
パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、
前記調整手段による電力調整後のそれぞれの前記部分区間信号のパワースペクトルに対して、前記調整手段による電力の調整に用いられたゲインの逆数をかけて電力を補正する補正手段と
を備える受信システム。
【請求項８】
伝送路を介して取得した信号に対してパワースペクトルの計測処理を含む処理を行う伝送路復号処理手段と、
前記伝送路復号処理手段による処理後の信号に基づいて、画像または音声を出力する出力手段と
を備え、
前記伝送路復号処理手段は、
パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、
前記調整手段による電力調整後のそれぞれの前記部分区間信号のパワースペクトルに対して、前記調整手段による電力の調整に用いられたゲインの逆数をかけて電力を補正する補正手段と
を備える受信システム。
【請求項９】
伝送路を介して取得した信号に対してパワースペクトルの計測処理を含む処理を行う伝送路復号処理手段と、
前記伝送路復号処理手段による処理後の信号を記録する記録手段と
を備え、
前記伝送路復号処理手段は、
パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、
前記調整手段による電力調整後のそれぞれの前記部分区間信号のパワースペクトルに対して、前記調整手段による電力の調整に用いられたゲインの逆数をかけて電力を補正する補正手段と
を備える受信システム。
【発明の詳細な説明】
【技術分野】
【０００１】
本発明は、信号処理装置、信号処理方法、および受信システムに関し、特に、電力レベルが大きく変化する信号のパワースペクトルを精度よく計測することができるようにした信号処理装置、信号処理方法、および受信システムに関する。
【背景技術】
【０００２】
テレビジョン受像機やテレビジョン番組の録画機器には、どの周波数帯域がテレビジョン放送のチャンネルとして使われているのかを自動的に検出するチャンネルスキャンの機能が搭載されている。
【０００３】
チャンネルスキャンは、入力信号のパワースペクトルを取得し、例えば、パワースペクトルのピーク値が現れる周波数を、テレビジョン放送に使われているチャンネルの中心周波数として抽出することによって行われる。
【０００４】
図１は、従来のスペクトル取得部の構成を示す図である。
【０００５】
図１に示すような構成を有するスペクトル取得部がテレビジョン受像機や録画機器に設けられる。チャンネルスキャン時、スペクトル取得部により入力信号のパワースペクトルが計測され、計測されたパワースペクトルに基づいて、後段の処理部においてチャンネルの抽出が行われる。
【０００６】
図１に示すように、スペクトル取得部は増幅部１とスペクトル計測部２から構成される。スペクトル計測部２には周波数変換部１１と狭帯域フィルタ１２が設けられる。アンテナにおいて電波が受信されることによって得られた入力信号は増幅部１に入力される。
【０００７】
増幅部１は、固定値として設定されているゲインを用いて、入力信号の電力を、スペクトル計測部２が処理可能な電力に調整する。増幅部１は、電力を調整した入力信号をスペクトル計測部２に出力する。
【０００８】
スペクトル計測部２は、増幅部１から供給された入力信号に対して周波数変換部１１において周波数変換を施し、パワー検出フィルタである狭帯域フィルタ１２を通すことによって、各周波数の電力を表すパワースペクトルを計測する。
【０００９】
スペクトル計測部２においては、周波数変換部１１で周波数を掃引しながら（処理対象とする周波数を変えながら）、対象とする周波数のパワースペクトルが順次計測される。スペクトル計測部２により計測されたパワースペクトルを表す信号は後段の処理部に供給される。
【先行技術文献】
【特許文献】
【００１０】
【特許文献１】特開２００９−５３５２号公報
【発明の概要】
【発明が解決しようとする課題】
【００１１】
図２は、スペクトル計測部２に入力される入力信号の例を示す図である。
【００１２】
図２の横軸は周波数を表し、縦軸は電力を表す。実際には、スペクトル計測部２によるパワースペクトルの計測によって、図２に示すような形で周波数軸上に各周波数の電力が表されるが、ここでは、スペクトル計測部２に対する入力信号を周波数軸上に表している。
【００１３】
図２に破線で示す四角の縦方向の長さは、スペクトル計測部２においてパワースペクトルとして計測可能な電力の幅（ダイナミックレンジ）を表す。破線で示す四角の横方向の長さは、パワースペクトルを計測する対象の周波数帯域を表す。
【００１４】
基本的には、スペクトル計測部２のダイナミックレンジに収まるように入力信号の電力が増幅部１により調整されるが、電力が極端に大きい周波数や小さい周波数もあり、そのような周波数の電力はスペクトル計測部２のダイナミックレンジに収まりきらない。
【００１５】
スペクトル計測部２のダイナミックレンジの上限値を上回る電力を有する成分は飽和してしまい、下限値を下回る電力を有する成分は精度不足で見えなくなってしまう。この場合、パワースペクトルを正しく計測できないことから、チャンネル抽出の精度が落ちてしまう。
【００１６】
本発明はこのような状況に鑑みてなされたものであり、電力レベルが大きく変化する信号のパワースペクトルを精度よく計測することができるようにするものである。
【課題を解決するための手段】
【００１７】
本発明の第１の側面の信号処理装置は、パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、前記調整手段による電力調整後のそれぞれの前記部分区間信号のパワースペクトルに対して、前記調整手段による電力の調整に用いられたゲインの逆数をかけて電力を補正する補正手段とを備える。
【００１８】
前記調整手段による電力調整後のそれぞれの前記部分区間信号のパワースペクトルを計測する計測手段をさらに設けることができる。
【００１９】
前記目標電力を、前記部分区間信号の平均電力で除算して得られた値を前記ゲインとして前記調整手段に設定する設定手段をさらに設けることができる。
【００２０】
前記目標電力は、前記計測手段がパワースペクトルとして計測可能な電力の上限の電力と下限の電力との平均の電力であるようにすることができる。
【００２１】
本発明の第１の側面の信号処理方法は、パワースペクトルを計測する周波数帯域を複数の区間に分割した各区間の周波数成分を有する入力信号である部分区間信号毎に、前記部分区間信号を所定の電力レベルにするゲインをかけて電力を調整し、電力調整後のそれぞれの前記部分区間信号のパワースペクトルに対して、電力の調整に用いられたゲインの逆数をかけて電力を補正するステップを含む。
【００２２】
本発明の第２の側面の受信システムは、伝送路を介して送信されてきた信号を取得する取得手段と、前記取得手段により取得された信号に対してパワースペクトルの計測処理を含む処理を行う伝送路復号処理手段とを備え、前記伝送路復号処理手段は、パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、前記調整手段による電力調整後のそれぞれの前記部分区間信号のパワースペクトルに対して、前記調整手段による電力の調整に用いられたゲインの逆数をかけて電力を補正する補正手段とを備える。
【００２３】
本発明の第３の側面の受信システムは、伝送路を介して取得した信号に対してパワースペクトルの計測処理を含む処理を行う伝送路復号処理手段と、前記伝送路復号処理手段による処理後の信号に対して、送信対象のデータを復号する処理を施す情報源復号処理手段とを備え、前記伝送路復号処理手段は、パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、前記調整手段による電力調整後のそれぞれの前記部分区間信号のパワースペクトルに対して、前記調整手段による電力の調整に用いられたゲインの逆数をかけて電力を補正する補正手段とを備える。
【００２４】
本発明の第４の側面の受信システムは、伝送路を介して取得した信号に対してパワースペクトルの計測処理を含む処理を行う伝送路復号処理手段と、前記伝送路復号処理手段による処理後の信号に基づいて、画像または音声を出力する出力手段とを備え、前記伝送路復号処理手段は、パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、前記調整手段による電力調整後のそれぞれの前記部分区間信号のパワースペクトルに対して、前記調整手段による電力の調整に用いられたゲインの逆数をかけて電力を補正する補正手段とを備える。
【００２５】
本発明の第５の側面の受信システムは、伝送路を介して取得した信号に対してパワースペクトルの計測処理を含む処理を行う伝送路復号処理手段と、前記伝送路復号処理手段による処理後の信号を記録する記録手段とを備え、前記伝送路復号処理手段は、パワースペクトルを計測する周波数帯域を複数の区間に分割した各区間の周波数成分を有する入力信号である部分区間信号毎に、前記部分区間信号を所定の電力レベルにするゲインをかけて電力を調整する調整手段と、前記調整手段による電力調整後のそれぞれの前記部分区間信号のパワースペクトルに対して、前記調整手段による電力の調整に用いられたゲインの逆数をかけて電力を補正する補正手段とを備える。
【００２６】
本発明においては、パワースペクトルを計測する周波数帯域を複数の区間に分割した各区間の周波数成分を有する入力信号である部分区間信号毎に、前記部分区間信号を所定の電力レベルにするゲインをかけて電力が調整される。また、電力調整後のそれぞれの前記部分区間信号のパワースペクトルに対して、電力の調整に用いられたゲインの逆数をかけて電力が補正される。
【発明の効果】
【００２７】
本発明によれば、電力レベルが大きく変化する信号のパワースペクトルを精度よく計測することができる。
【図面の簡単な説明】
【００２８】
【図１】従来のスペクトル取得部の構成を示す図である。
【図２】図１のスペクトル計測部に入力される信号の例を示す図である。
【図３】本発明の一実施形態に係る受信装置に設けられるスペクトル取得部の構成例を示す図である。
【図４】図３のスペクトル取得部における信号処理の概念を示す図である。
【図５】受信装置の処理について説明するフローチャートである。
【図６】スペクトル取得部とチャンネル抽出部を示す図である。
【図７】チャンネルの抽出の例を示す図である。
【図８】受信システムの第１の構成例を示すブロック図である。
【図９】受信システムの第２の構成例を示すブロック図である。
【図１０】受信システムの第３の構成例を示すブロック図である。
【図１１】コンピュータの構成例を示すブロック図である。
【発明を実施するための形態】
【００２９】
［スペクトル取得部の構成例］
図３は、本発明の一実施形態に係る受信装置に設けられるスペクトル取得部の構成例を示す図である。
【００３０】
図３に示すように、スペクトル取得部は、可変入力ゲイン増幅部２１、帯域抽出フィルタ２２、スペクトル計測部２３、設定部２４、逆数算出部２５、および補正部２６から構成される。スペクトル計測部２３には周波数変換部３１と狭帯域フィルタ３２が設けられ、設定部２４には平均電力算出部４１と除算部４２が設けられる。
【００３１】
スペクトル取得部の各部の動作は、所定のアプリケーションプログラムをCPU(Central Processing Unit)などが実行することによって実現される制御部５１により制御される。アンテナにおいて電波が受信されることによって得られた入力信号は可変入力ゲイン増幅部２１に入力される。
【００３２】
可変入力ゲイン増幅部２１は、設定部２４により設定された入力ゲイン制御量に基づいてゲインを補正し、補正後のゲインを用いて入力信号の電力を調整する。
【００３３】
後述するように、設定部２４においては、パワースペクトルを計測する周波数帯域全体を所定の周波数帯域ずつ分割して得られた区間（部分区間）毎に、その部分区間の周波数成分を有する信号の電力の調整に用いるゲインを補正するための入力ゲイン制御量が求められる。
【００３４】
可変入力ゲイン増幅部２１は、入力ゲイン制御量として求められた値に基づいて補正した補正後のゲインを電力値に乗算することによって、それぞれの部分区間の周波数成分を有する信号の電力を調整する。可変入力ゲイン増幅部２１は、電力を調整した入力信号を帯域抽出フィルタ２２に出力する。なお、入力ゲイン制御量が設定される前、可変入力ゲイン増幅部２１においては予め設定された所定のゲインを用いて入力信号の電力が調整される。
【００３５】
帯域抽出フィルタ２２は、各部分区間の周波数成分を有する信号を、可変入力ゲイン増幅部２１から供給された入力信号から抽出する。例えば、帯域抽出フィルタ２２に対しては、各部分区間の中心周波数が、周波数の低い部分区間のものから順に制御部５１により設定される。
【００３６】
帯域抽出フィルタ２２は、設定された中心周波数を基準として抽出した各部分区間の周波数成分を有する信号である部分区間信号を出力する。帯域抽出フィルタ２２から出力された部分区間信号は、スペクトル計測部２３と設定部２４に供給される。
【００３７】
スペクトル計測部２３は、可変入力ゲイン増幅部２１のゲインが補正された後に帯域抽出フィルタ２２から供給された部分区間信号のパワースペクトルを計測する。スペクトル計測部２３は、供給された部分区間信号に対して周波数変換部３１において周波数変換を施し、パワー検出フィルタである狭帯域フィルタ３２を通すことによって、各周波数のパワースペクトルを計測する。
【００３８】
スペクトル計測部２３により計測されたパワースペクトルは、帯域抽出フィルタ２２により分割された部分区間毎に、目標とする電力を基準として正規化されたものになる。スペクトル計測部２３により計測されたパワースペクトルは補正部２６に供給される。
【００３９】
設定部２４は、帯域抽出フィルタ２２から部分区間信号が供給された場合、その部分区間信号が有する周波数成分の部分区間についての入力ゲイン制御量を求め、可変入力ゲイン増幅部２１と逆数算出部２５に出力する。
【００４０】
例えば、設定部２４の平均電力算出部４１は、供給された部分区間信号の電力の平均値を算出し、除算部４２に出力する。
【００４１】
除算部４２は、目標とする電力の値である目標電力値を、平均電力算出部４１により算出された部分区間信号の電力の平均値で除算することによって得られた値を、入力ゲイン制御量として可変入力ゲイン増幅部２１と逆数算出部２５に出力する。除算部４２に対しては、スペクトル計測部２３においてパワースペクトルとして計測可能な電力の上限値と下限値の平均値などが目標電力値として制御部５１により設定される。
【００４２】
例えば、目標電力値（電圧値）が0.5Ｖとして設定され、平均電力算出部４１により算出された部分区間信号の電力の平均値が0.1Ｖである場合、その比である“５”が入力ゲイン制御量として除算部４２により求められる。このことは、対象としている部分区間のゲインを、いま可変入力ゲイン増幅部２１が用いているゲインの５倍にすると、部分区間信号の平均電力を目標電力と同じ電力にすることができることを表す。可変入力ゲイン増幅部２１においては、それまでのゲインを５倍に補正したゲインを用いて電力の調整が行われる。
【００４３】
逆数算出部２５は、入力ゲイン制御量として除算部４２から供給された値の逆数を算出し、補正部２６に出力する。
【００４４】
補正部２６は、逆数算出部２５により算出された値をスペクトル計測部２３から供給された信号の各電力値に乗算することによって、スペクトル計測部２３の計測結果を補正する。スペクトル計測部２３により計測されたパワースペクトルは“目標電力／平均電力”の値によって電力が調整された信号を対象として求められたものであるから、“平均電力／目標電力”の値を乗算することによって元の信号のパワースペクトルが求められる。
【００４５】
補正部２６により補正されたパワースペクトルは後段の処理部に供給され、チャンネルの抽出に用いられる。
【００４６】
このように、図３のスペクトル取得部においては、パワースペクトルを計測する対象の周波数範囲全体が複数の部分区間に分割される。また、部分区間毎に、その部分区間の周波数成分を有する信号の電力がスペクトル計測部２３のダイナミックレンジに収まるように、スペクトル計測部２３に入力される信号の電力が調整され、パワースペクトルの計測が行われる。
【００４７】
図４は、スペクトル取得部における信号処理の概念を示す図である。
【００４８】
図４の横軸は周波数を表し、縦軸は電力を表す。破線で示す１つの四角の横方向の長さは、各部分区間の周波数帯域を表し、縦方向の長さは、スペクトル計測部２３がパワースペクトルとして計測可能な電力のダイナミックレンジを表す。
【００４９】
図４に示すように、後段の帯域抽出フィルタ２２において部分区間Ｓ１の信号として抽出される入力信号に対しては、部分区間Ｓ１の信号の平均電力と目標電力との比として表される入力ゲイン制御量Ｃ１により補正されたゲインを用いて可変入力ゲイン増幅部２１において電力が調整される。
【００５０】
また、部分区間Ｓ２の信号として抽出される入力信号に対しては、部分区間Ｓ２の信号の平均電力と目標電力との比として表される入力ゲイン制御量Ｃ２により補正されたゲインを用いて可変入力ゲイン増幅部２１において電力が調整される。他の部分区間についても同様に、その部分区間の信号の平均電力と目標電力との比として表される入力ゲイン制御量により補正されたゲインを用いて電力が調整される。
【００５１】
部分区間信号毎に電力が調整されることにより、各部分区間信号の電力はスペクトル計測部２３のダイナミックレンジに収まるものとなり、実質的に、計測可能なパワースペクトルの範囲を広げることが可能になる。図４の例の場合、パワースペクトルとして計測可能な電力の上限は部分区間Ｓ４を示す破線の四角の上辺の位置の電力となり、下限は部分区間Ｓ７を示す破線の四角の下辺の位置の電力となる。
【００５２】
また、ダイナミックレンジに収まるように電力が調整された各部分区間信号を対象として計測が行われることにより、パワースペクトルの計測を精度よく行うことが可能になる。
【００５３】
なお、図４においては、入力信号の電力を基準として、スペクトル計測部２３のダイナミックレンジの方を調整するようにして示しているが、実際には、スペクトル計測部２３のダイナミックレンジを基準として、入力信号の電力の方が調整される。
【００５４】
［スペクトル取得部の動作］
ここで、図５のフローチャートを参照して、図３のスペクトル取得部を有する受信装置の処理について説明する。
【００５５】
ステップＳ１において、制御部５１は、パワースペクトルを計測する対象の周波数範囲全体を複数の部分区間に分割し、１つの部分区間に注目する。
【００５６】
ステップＳ２において、制御部５１は、注目する部分区間の中心周波数を、抽出帯域中心周波数として帯域抽出フィルタ２２に設定する。
【００５７】
ステップＳ３において、帯域抽出フィルタ２２は、可変入力ゲイン増幅部２１から供給された入力信号のうち、設定された抽出帯域中心周波数を中心として所定の帯域幅の周波数成分を有する信号を抽出し、部分区間信号として出力する。例えば、入力ゲイン制御量が求められる前、可変入力ゲイン増幅部２１においては、所定のゲインを用いて入力信号の電力の調整が行われ、その電力調整後の入力信号が帯域抽出フィルタ２２に供給される。
【００５８】
ステップＳ４において、平均電力算出部４１は部分区間信号の電力の平均値を算出する。
【００５９】
ステップＳ５において、除算部４２は、目標電力値を、部分区間信号の電力の平均値で除算することによって入力ゲイン制御量を求める。
【００６０】
ステップＳ６において、可変入力ゲイン増幅部２１は、入力ゲイン制御量として求められた値をそれまでのゲインに乗算することによってゲインを補正し、補正後のゲインを電力値に乗算することによって、注目している部分区間の信号の電力を調整する。注目している部分区間の信号を通過させる状態になっているから、可変入力ゲイン増幅部２１により電力が調整された信号は帯域抽出フィルタ２２を通過してスペクトル計測部２３に供給される。
【００６１】
ステップＳ７において、スペクトル計測部２３は部分区間信号のパワースペクトルを計測する。
【００６２】
ステップＳ８において、逆数算出部２５は、入力ゲイン制御量として除算部４２により算出された値の逆数を算出する。
【００６３】
ステップＳ９において、補正部２６は、逆数算出部２５により算出された値を乗算することによって、スペクトル計測部２３による計測結果を補正する。
【００６４】
ステップＳ１０において、制御部５１は、全ての部分区間に注目したか否かを判定し、全ての部分区間に注目していないと判定した場合、ステップＳ１に戻り、同様の処理を繰り返す。すなわち、注目する対象が次の部分区間に移り、その部分区間を対象として処理が行われる。
【００６５】
全ての部分区間に注目したとステップＳ１０において判定された場合、処理は終了される。全ての部分区間に注目して以上の処理が行われたとき、計測する対象の周波数範囲全体のパワースペクトルが取得された状態になる。
【００６６】
［チャンネルの抽出］
図６は、図３の構成を有するスペクトル取得部６１と、その後段の処理部としてのチャンネル抽出部６２を示す図である。
【００６７】
チャンネル抽出部６２には、以上のようにして計測されたパワースペクトルがスペクトル取得部６１から供給される。
【００６８】
チャンネル抽出部６２は、スペクトル取得部６１から供給されたパワースペクトルに基づいて、テレビジョン放送に用いられているチャンネルを抽出する。
【００６９】
図７は、チャンネル抽出部６２によるチャンネルの抽出の例を示す図である。
【００７０】
図７の実線の波形はスペクトル取得部６１により計測されたパワースペクトルを表し、破線の波形はパワースペクトルの移動平均を表す。黒丸は、２つの波形の交点を表す。
【００７１】
この場合、図７に示すように、チャンネル抽出部６２は、パワースペクトルが移動平均より上側に位置している区間の黒丸間の距離に相当する帯域幅を、チャンネル候補の周波数帯域幅として決定する。また、チャンネル抽出部６２は、黒丸間の中心位置に相当する周波数を、チャンネル候補の中心周波数として決定する。
【００７２】
チャンネル抽出部６２は、各チャンネル候補の周波数帯域幅と中心周波数の情報を記述したチャンネルリストを後段の処理部に出力する。後段の処理部においては、チャンネル抽出部６２により決定された周波数帯域幅と中心周波数に基づいてチャンネルの受信設定が行われる。
【００７３】
パワースペクトルとして計測可能な電力のダイナミックレンジが広がることによりパワースペクトルを正しく計測することができ、これにより、チャンネルの抽出を精度よく行うことが可能になる。
【００７４】
［変形例］
図８は、本発明の周波数・位相同期回路を適用した受信システムの第１実施の形態の構成例を示すブロック図である。
【００７５】
図８の受信システムは、取得部１０１、伝送路復号処理部１０２、および情報源復号処理部１０３から構成される。
【００７６】
取得部１０１は、地上デジタル放送、衛星デジタル放送、CATV網、インターネットその他のネットワーク等の図示せぬ伝送路を介して信号を取得し、伝送路復号処理部１０２に供給する。
【００７７】
伝送路復号処理部１０２は、取得部１０１が伝送路を介して取得した信号に対して、誤り訂正を含む伝送路復号処理を施し、その結果得られる信号を情報源復号処理部１０３に供給する。伝送路復号処理部１０２には、図３に示すスペクトル取得部の構成が含まれており、そのスペクトル取得部において、上述したスペクトルを取得する処理が行われる。
【００７８】
情報源復号処理部１０３は、伝送路復号処理が施された信号に対して、圧縮された情報を元の情報に伸張し、送信対象のデータを取得する処理を含む情報源復号処理を施す。
【００７９】
すなわち、取得部１０１が伝送路を介して取得した信号には、画像や音声等のデータ量を少なくするために、情報を圧縮する圧縮符号化が施されていることがある。その場合、情報源復号処理部１０３は、伝送路復号処理が施された信号に対して、圧縮された情報を元の情報に伸張する処理等の情報源復号処理を施す。
【００８０】
なお、取得部１０１が伝送路を介して取得した信号に圧縮符号化が施されていない場合、情報源復号処理部１０３では、圧縮された情報を元の情報に伸張する処理は行われない。ここで、伸張処理としては、例えば、MPEGデコード等がある。また、情報源復号処理には、伸張処理の他、デスクランブル等が含まれることがある。
【００８１】
図８の受信システムは、例えば、デジタルテレビジョン放送を受信するテレビチューナ等に適用することができる。なお、取得部１０１、伝送路復号処理部１０２、および情報源復号処理部１０３は、それぞれ、１つの独立した装置（ハードウェア（IC(Integrated Circuit)等））、又はソフトウェアモジュール）として構成することが可能である。
【００８２】
また、取得部１０１、伝送路復号処理部１０２、および、情報源復号処理部１０３については、それらの３つのセットを１つの独立した装置として構成することが可能である。取得部１０１と伝送路復号処理部１０２とのセットを１つの独立した装置として構成することも可能であるし、伝送路復号処理部１０２と情報源復号処理部１０３とのセットを１つの独立した装置として構成することも可能である。
【００８３】
図９は、本発明の周波数・位相同期回路を適用した受信システムの第２実施の形態の構成例を示すブロック図である。
【００８４】
図９に示す構成のうち、図８に示す構成と対応する構成については、同一の符号を付してあり、その説明は適宜省略する。
【００８５】
図９の受信システムの構成は、取得部１０１、伝送路復号処理部１０２、および情報源復号処理部１０３を有する点で図８の構成と共通し、出力部１１１が新たに設けられている点で図８の構成と相違する。
【００８６】
出力部１１１は、例えば、画像を表示する表示装置や音声を出力するスピーカであり、情報源復号処理部１０３から出力される信号としての画像や音声等を出力する。すなわち、出力部１１１は、画像を表示し、あるいは、音声を出力する。
【００８７】
図９の受信システムは、例えば、デジタル放送としてのテレビジョン放送を受信するTVや、ラジオ放送を受信するラジオ受信機等に適用することができる。
【００８８】
なお、取得部１０１において取得された信号に圧縮符号化が施されていない場合、伝送路復号処理部１０２が出力する信号が、直接、出力部１１１に供給される。
【００８９】
図１０は、本発明の周波数・位相同期回路を適用した受信システムの第３実施の形態の構成例を示すブロック図である。
【００９０】
図１０に示す構成のうち、図８に示す構成と対応する構成については同一の符号を付してあり、その説明は適宜省略する。
【００９１】
図１０の受信システムの構成は、取得部１０１、および伝送路復号処理部１０２を有する点で図８の構成と共通し、情報源復号処理部１０３が設けられておらず、記録部１２１が新たに設けられている点で図８の構成と相違する。
【００９２】
記録部１２１は、伝送路復号処理部１０２が出力する信号（例えば、MPEGのTSのTSパケット）を、光ディスクや、ハードディスク（磁気ディスク）、フラッシュメモリ等の記録（記憶）媒体に記録する（記憶させる）。
【００９３】
以上のような図１０の受信システムは、テレビジョン放送を録画するレコーダ機器等に適用することができる。
【００９４】
なお、情報源復号処理部１０３を設け、情報源復号処理部１０３で情報源復号処理が施された後の信号、すなわち、デコードによって得られる画像や音声を記録部１２１で記録するようにしてもよい。
【００９５】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または汎用のパーソナルコンピュータなどに、プログラム記録媒体からインストールされる。
【００９６】
図１１は、上述した一連の処理をプログラムにより実行するコンピュータのハードウェアの構成例を示すブロック図である。
【００９７】
CPU(Central Processing Unit)１５１、ROM(Read Only Memory)１５２、RAM(Random Access Memory)１５３は、バス１５４により相互に接続されている。
【００９８】
バス１５４には、さらに、入出力インタフェース１５５が接続されている。入出力インタフェース１５５には、キーボード、マウスなどよりなる入力部１５６、ディスプレイ、スピーカなどよりなる出力部１５７が接続される。また、入出力インタフェース１５５には、ハードディスクや不揮発性のメモリなどよりなる記憶部１５８、ネットワークインタフェースなどよりなる通信部１５９、リムーバブルメディア１６１を駆動するドライブ１６０が接続される。
【００９９】
以上のように構成されるコンピュータでは、CPU１５１が、例えば、記憶部１５８に記憶されているプログラムを入出力インタフェース１５５及びバス１５４を介してRAM１５３にロードして実行することにより、上述した一連の処理が行われる。
【０１００】
CPU１５１が実行するプログラムは、例えばリムーバブルメディア１６１に記録して、あるいは、ローカルエリアネットワーク、インターネット、デジタル放送といった、有線または無線の伝送媒体を介して提供され、記憶部１５８にインストールされる。
【０１０１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０２】
本発明の実施の形態は、上述した実施の形態に限定されるものではなく、本発明の要旨を逸脱しない範囲において種々の変更が可能である。
【符号の説明】
【０１０３】
２１  可変入力ゲイン増幅部，  ２２  帯域抽出フィルタ，  ２３  スペクトル計測部，  ２４  設定部，  ２５  逆数算出部，  ２６  補正部，  ４１  平均電力算出部，  ４２  除算部
【図１】
2010278911.tif 000003
【図２】
2010278911.tif 000004
【図３】
2010278911.tif 000005
【図４】
2010278911.tif 000006
【図５】
2010278911.tif 000007
【図６】
2010278911.tif 000008
【図７】
2010278911.tif 000009
【図８】
2010278911.tif 000010
【図９】
2010278911.tif 000011
【図１０】
2010278911.tif 000012
【図１１】
2010278911.tif 000013